(57)【要約】      （修正有）【課題】組み立て・分解が簡単で且つ持ち運びや収納が容易な新規なパネルシアター用パネルボードを提供する。【解決手段】ボード本体１０と、それをその裏面側から支持する架台２０とを有するペープサート用パネルボード１００であって、ボード本体１０に磁石部材を設けると共に、架台２０のボード本体１０と接触する部位に磁石部材と吸着する磁石部材を設ける。これによって、ボード本体１０側の磁石部材に架台２０側の磁石部材を吸着させるだけで簡単に架台２０をボード本体１０に組み合わせてしっかりと支持することができる。また、これらの磁石部材同士を引き離すだけで簡単に分離できるため、分解や持ち運び、収納などが容易となる。【選択図】図１
0003212251.tif 000002
【実用新案登録請求の範囲】
【請求項１】
ボード本体と、当該ボード本体を立てた状態でその裏面側から支持する架台とを有するパネルシアター用パネルボードであって、
前記ボード本体に磁石部材が設けられていると共に、前記架台の前記ボード本体と接触する部位に前記磁石部材と吸着する磁石部材が設けられていることを特徴とするパネルシアター用パネルボード。
【請求項２】
請求項１に記載のパネルシアター用パネルボードにおいて、
前記架台は、前記ボード本体の裏面に接してそのボード本体を傾斜させて支持する第１の支持板と、当該第１の支持板の頂部をその傾斜方向の反対側から支持する第２の支持板と、前記第１の支持板と第２の支持板間を連結する連結桿とからなり、
前記連結桿の両端に、前記第１および第２の支持板にそれぞれ設けられた磁石部材と吸着する磁石部材を備えたことを特徴とするパネルシアター用パネルボード。
【請求項３】
請求項１に記載のパネルシアター用パネルボードにおいて、
前記架台は、それぞれ略直角三角形状をした板材からなる複数の架台部材からなると共に、前記ボード本体が接する各架台部材の斜辺部位に磁石部材が設けられていることを特徴とするパネルシアター用パネルボード。
【請求項４】
請求項３に記載のパネルシアター用パネルボードにおいて、
前記各架台部材の対辺部分に磁石部材が設けられていることを特徴とするパネルシアター用パネルボード。
【請求項５】
請求項１乃至４のいずれかに記載のパネルシアター用パネルボードにおいて、
前記ボード本体が複数の板材を平面状に連結してなると共に、その連結部で折り曲げ可能となっていることを特徴とするパネルシアター用パネルボード。
【考案の詳細な説明】
【技術分野】
【０００１】
本考案は、パネルシアターで用いるマグネット式のパネルボードに関するものである。
【背景技術】
【０００２】
幼稚園や保育園などの幼児教育現場においては、従来から保育士、幼稚園教諭あるいはそれらを目指す学生などによる絵人形を用いたパネルシアターが演じられている。このパネルシアターは、いわゆる静止画だけからなる絵本や紙芝居とは異なり、パネル布を貼った舞台に、Ｐペーパー（ＭＢＳテック１３０番、１８０番など）で作った紙人形を貼り付けて動かすことで演じられる。そのストーリー展開に合わせて絵人形を登場・退場させたり、適宜上下左右に繰ることでその登場人物の感情や動きなどをリアルに表現したものである。
【０００３】
このようなパネルシアターを実演するためには、少なくともその登場人物の数に応じた絵人形と、その絵人形を貼り付ける舞台となるパネルボードが必要となる。この絵人形の具体的な構成としては、Ｐペーパーの表裏に物語の登場人物や動物などを色材を用いて描くのが一般的であり、また、舞台としては板材にパネル布を貼ったボード本体と、このボード本体を適切な角度で支持するための架台とからなる構成が一般的である。なお、この種のパネルシアターとしては、例えば以下の特許文献１乃至３に示すように、演出物の落下を防止したマグネットパネルシアタ−や、掲示板の支持高さの調整を容易にしたパネルシアター、カバン型で持ち運びを容易としたパネル舞台装置などが提案されている。
【先行技術文献】
【特許文献】
【０００４】
【特許文献１】登録実用新案第３２０７７３５号公報
【特許文献２】登録実用新案第３０８７６２号公報
【特許文献３】登録実用新案第３０１７３３０号公報
【考案の概要】
【考案が解決しようとする課題】
【０００５】
ところで、従来のパネルシアター用のパネルボードは、前述したようにボード本体とこれを支持する架台とからなっているが、ボード本体はそのサイズが例えば横幅が約１ｍ〜１．５ｍ、縦幅が約５０ｃｍ〜１ｍと大きく、また、これをしっかりと支持する架台も一般的には金属製の重量のあるものが用いられている。このため、実演現場への持ち運びや組み立て作業が容易でなく、また、これらを収納する際にはそれなりの広いスペースが必要となっていた。
【０００６】
そこで、本考案はこれらの課題を解決するために案出されたものであり、その主な目的は、組み立て・分解が簡単で且つ持ち運びや収納が容易な新規なパネルシアター用パネルボードを提供するものである。
【課題を解決するための手段】
【０００７】
前記課題を解決するために第１の考案は、ボード本体と、当該ボード本体を立てた状態でその裏面側から支持する架台とを有するパネルシアター用パネルボードであって、前記ボード本体に磁石部材が設けられていると共に、前記架台の前記ボード本体と接触する部位に前記磁石部材と吸着する磁石部材が設けられていることを特徴とするパネルシアター用パネルボードである。
【０００８】
このような構成によれば、実演などの使用時には、ボード本体側の磁石部材に、架台側の磁石部材を吸着させるだけで簡単に架台をボード本体に組み合わせてボード本体をしっかりと支持することができる。また、使用後には、ボード本体側の磁石部材と架台側の磁石部材を引き離すだけで簡単に分離できるため、持ち運びや収納が容易となる。
【０００９】
第２の考案は、第１の考案において、前記架台は、前記ボード本体の裏面に接してそのボード本体を傾斜させて支持する第１の支持板と、当該第１の支持板の頂部をその傾斜方向の反対側から支持する第２の支持板と、前記第１の支持板と第２の支持板間を連結する連結桿とからなり、前記連結桿の両端に、前記第１および第２の支持板にそれぞれ設けられた磁石部材と吸着する磁石部材を備えたことを特徴とするパネルシアター用パネルボードである。
【００１０】
このような構成によれば、架台が第１および第２の支持板と連結桿とによってトラス状に構築されるため、高い強度と安定性を発揮できる。また、第１および第２の支持板と、これらを支持連結する連結桿は、これら各支持板側の磁石部材と、連結桿側の磁石部材同士を吸着させることで互いに連結させるようになっているため、簡単に架台を組み立てることができる。また、使用後には、これらの吸着部分を引き離すだけで簡単に分離できるため、持ち運びや収納が容易となる。
【００１１】
第３の考案は、第１の考案において、前記架台は、それぞれ略直角三角形状をした板材からなる複数の架台部材からなると共に、前記ボード本体が接する各架台部材の斜辺部位に磁石部材が設けられていることを特徴とするパネルシアター用パネルボードである。このような構成によれば、複数の架台部材によってボード本体を床面やテーブル、机の上などに略垂直に立てた状態で支持することができる。また、各架台部材はそれぞれ略直角三角形状をした板材からなるため、分離後は、そのまま１つにまとめてコンパクトに梱包して持ち運びや収納を行うことができる。
【００１２】
第４の考案は、第３の考案において、前記各架台部材の対辺部分に磁石部材が設けられていることを特徴とするパネルシアター用パネルボードである。このような構成によれば、各架台部材の対辺部分をホワイトボードなどの磁性を有する面にそのまま吸着させることができるため、より簡単且つ確実にボード本体を支持することができる。
【００１３】
第５の考案は、第１乃至第４の考案において、前記ボード本体が複数の板材を連結してなると共に、その連結部で折り曲げ可能となっていることを特徴とするパネルシアター用パネルボードである。このような構成によれば、大きなボード本体を二つ折りまたは三つ折りしてコンパクトに折り畳めるため、運搬や収納が容易となる。
【考案の効果】
【００１４】
本考案によれば、ボード本体と架台、および架台を構成する各部材同士を磁石部材によって吸着させて組み合わせるようにしたため、ボード本体側の磁石部材に架台側の磁石部材を吸着させるだけで簡単に架台をボード本体に組み合わせてしっかりと支持することができる。また、これらの磁石部材同士を引き離すだけで簡単に分離できるため、分解や持ち運び、収納などが容易となる。
【図面の簡単な説明】
【００１５】
【図１】本考案に係るパネルシアター用パネルボード１００の実施の一形態を示す斜視図である。
【図２】本考案に係るパネルシアター用パネルボード１００の実施の一形態を示す分解斜視図である。
【図３】架台２０の分解・組み立て状態を示す説明図である。
【図４】図３（ａ）中Ａ部を示す部分拡大図である。
【図５】図３（ａ）中Ｂ部を示す部分拡大図である。
【図６】本考案に係るパネルシアター用パネルボード１００の側面図である。
【図７】図６（ａ）中Ａ部を示す部分拡大図である。
【図８】ボード本体１０の他の実施の形態を示す説明図である。
【図９】本考案に係るパネルシアター用パネルボード１００の他の実施の形態を示す斜視図である。
【図１０】図９に示すパネルシアター用パネルボード１００の側面図である。
【図１１】図１０（ａ）中Ａ部を示す部分拡大図である。
【図１２】図９に示すパネルシアター用パネルボード１００の他の実施の形態を示す説明図である。
【考案を実施するための形態】
【００１６】
以下、本考案の実施の形態を添付図面を参照しながら説明する。図１および図２は本考案に係るパネルシアター用パネルボード１００の実施の一形態を示したものである。図示するようにこのパネルボード１００は、矩形状をしたボード本体１０と、このボード本体１０をその裏面側から立設状態に支持する架台２０とから構成されている。
【００１７】
このボード本体１０は、パネルシアターの実演において絵人形（図示せず）を動かす背景などとして機能するものであり、図５（ａ）に示すように、スチレンボードなどの軽量な材質からなる板素材１０ｃの表面にパネル布１０ｄを貼り付けた構造となっている。そして、そのサイズは、例えば厚さ１ｃｍ〜３ｃｍ×縦５０ｃｍ〜１．０ｍ×横１．０ｍ〜１．５ｍ程度の大きさとなっている。
【００１８】
一方、架台２０は、このボード本体１０の裏面に接してそのボード本体１０をやや後方に傾斜させて支持する第１の支持板２１と、この第１支持板２１の頂部を反対側から傾斜させて支持する第２の支持板２２と、これらの支持板２１，２２間を連結する一対の連結桿２３，２３とから構成されている。この支持板２１，２２は、例えば厚さ５ｍｍ〜１．０ｃｍの矩形状をしており、その大きさは少なくともボード本体１０よりは小さいサイズ、例えば縦３０〜５０ｃｍ×横５０ｃｍ〜１．０ｍ程度で、同じくスチレンボードなどの軽量な材質から構成されている。
【００１９】
また、これら各支持板２１，２２の四隅には、それぞれ磁石部材Ｍが設けられている。この磁石部材Ｍは、例えば直径が１０ｍｍ程度のボタン状をしたネオジム磁石などのような高磁力の永久磁石から構成されており、図３および図４に示すようにこの支持板２１，２２の四隅にそれぞれ貫通するように形成された取付孔２２ａ内に収納されるように取り付けられている。なお、図４（ｂ）に示すようにこの取付孔２２ａの両面は、その取付孔２２ａ内の磁石部材Ｍがここから脱落しないように粘着テープ２４，２４でそれぞれ塞がれている。
【００２０】
連結桿２３は、図２および図３に示すように短冊状の板材から構成されており、その両端は上方がやや狭くなるように斜めにカットされている。そして、図４に示すようにこの連結桿２３の両端面には、それぞれ取付孔２３ａが穿孔されており、その取付孔２３ａ内には支持板２１，２２と同様なボタン状の磁石部材Ｍが埋設するように取り付けられている。また、図４（ｂ）に示すようにこの連結桿２３側の取付孔２２ａも磁石部材Ｍが脱落しないように粘着テープ２４で塞がれていると共に、その磁石部材Ｍの磁極（Ｎ極およびＳ極）の方向は、支持板２１，２２側の磁石部材Ｍと吸着する向き（異極）になるように取り付けられている。
【００２１】
各支持板２１，２２の上辺側は、図３および図５に示すようにその長手方向に沿って延びる表裏一対の粘着テープ２４、２４で連結されており、この粘着テープ２４、２４を境にしてヒンジ状にその角度が自在に調整できるようになっている。
【００２２】
また、図２に示すようにボード本体１０にも各支持板２１，２２と同様にボタン状の磁石部材Ｍが埋設するように取り付けられている。すなわち、図６および図７に示すようにこのボード本体１０側にも支持板２１，２２と同じ間隔で４つの取付孔１１が形成されており、各取付孔１１内にそれぞれボタン状の磁石部材Ｍが収納されるように取り付けられている。なお、図７（ｂ）に示すようにこの取付孔１１内の磁石部材Ｍもここから脱落しないようにこの取付孔１１の両面は粘着テープ２４，２４でそれぞれ塞がれていると共に、その磁石部材Ｍの磁極（Ｎ極およびＳ極）の方向は、支持板２１，２２側の磁石部材Ｍと吸着する向き（異極）になるように取り付けられている。
【００２３】
このような構成をした本考案に係るパネルシアター用パネルボード１００にあっては、図２および図３に示すように架台２０を構成する支持板２１，２２と連結桿２３，２３とがそれぞれ独立して分離・組み立て可能となっている。このため、支持板２１，２２と連結桿２３，２３との各磁石部材Ｍ同士を吸着させるだけでトラス状に組み立てることができるため、優れた安定性を発揮できる。また、使用後には、これらの吸着部分を引き離すだけで簡単に分離できるため、持ち運びや収納が容易となる。特に図３および図５に示すように、支持板２１，２２は連結桿２３，２３を分離した後は、そのまま重ねて一枚板にできる。また、連結桿２３，２３は、その端部同士を吸着させれば１本の棒状に組み合わせることができるため、紛失などを確実に回避できる。
【００２４】
そして、パネルシアターの実演などの使用時には、この架台２０を組み立てた後に、図６および図７に示すようにボード本体１０側の４つの磁石部材Ｍを位置決めしてそれぞれ架台２０側の４つの磁石部材Ｍに吸着させるだけで簡単かつしっかりとボード本体１０を立てた状態で支持することができる。また、使用後には、ボード本体１０側の磁石部材Ｍと架台２０側の磁石部材Ｍとを引き離すだけで簡単に分離できるため、持ち運びや収納が容易となる。
【００２５】
さらに、図８に示すようにこのボード本体１０を二枚の板材１０ａ、１０ａで構成すると共にそれらを前述したような粘着テープ２４で平面状に連結し、その連結部１０ｂで折り畳めるようにすれば、面積が大きなボード本体１０であってもこれを二つ折りしてコンパクトにできるため、その運搬や収納も容易となる。
【００２６】
次に、図９乃至図１２は、この架台２０の他の実施の形態を示したものである。本実施の形態では、架台２０をそれぞれ略直角三角形状をした板材からなる複数（本実施の形態にあっては４つ）の架台部材２５から構成すると共に、各架台部材２５，２５，２５，２５の斜辺部位２５ａにそれぞれ複数（本実施の形態にあっては３つ）の磁石部材Ｍを備えたものである。
【００２７】
そして、図１０および図１１に示すようにこれら各架台部材２５の斜辺部位２５ａに設けられた各磁石部材Ｍに対してボード本体１０側の磁石部材Ｍを吸着させることで図９に示すようにボード本体１０を床面やテーブル、机の上などに略垂直に立てた状態で支持することができる。また、前記実施の形態と同様に使用後には、このボード本体１０側の磁石部材Ｍと架台２０側の磁石部材Ｍとを引き離すだけで簡単に分離できるため、持ち運びや収納が容易となる。
【００２８】
さらに、図１２に示すように各架台部材２５の対辺部位２５ｂにもそれぞれ磁石部材Ｍを取り付ければ、ホワイトボードのような金属板（磁性材料）を有する垂直面に対してそのまま吸着させて取り付けることも可能となる。なお、本実施の形態のような構成の架台２０を用いる場合には、その架台２０側の磁石部材Ｍの位置に対応するように予めボード本体１０側の所定の部位に磁石部材Ｍを取り付けることになる。
【００２９】
また、一般にボード本体表面の色は白色であるが、黒地のものにブラックライトを当てるブラックパネルシアターの場合は黒色のものを別途用意して適宜入れ替えて使用しているが、本考案のボード本体１０の表面に白色のパネル布１０ｄを貼り付けると共に、その裏面に黒色のパネル布１０ｄを貼り付けるようにすれば、１枚のボード本体１０で両方を兼用することが可能となる。
【符号の説明】
【００３０】
１００…パネルシアター用パネルボード
１０…ボード本体
１０ａ…板材
１０ｂ…連結部
１０ｃ…板素材
１０ｄ…パネル布
２０…架台
２１…第１の支持板
２２…第２の支持板
１１、２２ａ、２３ａ…取付孔
２３…連結桿
２４…粘着テープ
２５…架台部材
２５ａ…斜辺部位
２５ｂ…対辺部位
Ｍ…磁石部材
【図１】
0003212251.tif 000003
【図２】
0003212251.tif 000004
【図３】
0003212251.tif 000005
【図４】
0003212251.tif 000006
【図５】
0003212251.tif 000007
【図６】
0003212251.tif 000008
【図７】
0003212251.tif 000009
【図８】
0003212251.tif 000010
【図９】
0003212251.tif 000011
【図１０】
0003212251.tif 000012
【図１１】
0003212251.tif 000013
【図１２】
0003212251.tif 000014